(57)【要約】【課題】  出射光の切り替えが容易に行える安価な地上型ＬＥＤ標識灯を提供する。【解決手段】  地上型ＬＥＤ標識灯１は、周方向に光を放射する発光ダイオード１１を有する光源ユニット２と、一端側開口３ｃに設けた取付け部２０，２０に光源ユニット２を固定している筒状の灯体３と、光源ユニット２を包囲可能に筒状に形成されて灯体３の内部に配設され、発光ダイオード１１の放射光の光色を異なる光色に変換する蛍光体３１が形成されている透光性の筒体４と、筒体４を、光源ユニット２を包囲する位置に、またはその包囲する位置から当初の位置に移動させる移動手段５，６，７と、灯体３の一端側３ａに着脱可能に取り付けられている透光性の保護カバー８を具備している。【選択図】図１
2010146885.tif 000002
【特許請求の範囲】
【請求項１】
発光ダイオードが実装された基板を有し、当該発光ダイオードが前記基板の表面に平行な方向に光を放射する光源ユニットと；
一端側開口に取付け部を有し、この取付け部に発光ダイオードが上方側となるようにして前記光源ユニットを固定している筒状の灯体と；
前記光源ユニットを包囲可能に筒状に形成され、かつ内面または外面の少なくとも一方に前記発光ダイオードの放射光の光色を異なる光色に変換する蛍光体が形成された前記灯体の内部に配設されている透光性の筒体と；
この筒体を、前記光源ユニットを包囲する位置に、またはその包囲する位置から当初の位置に移動させる移動手段と；
前記光源ユニットおよび前記筒体を内包し前記灯体の一端側開口を覆うようにして前記灯体の一端側に着脱可能に取り付けられている透光性の保護カバーと；
を具備していることを特徴とする地上型ＬＥＤ標識灯。
【請求項２】
移動手段は、前記灯体の内部に配設され、前記筒体を移動させる移動装置と、前記灯体の内部に配設され、前記筒体が所定の位置に移動するように前記移動装置を制御する制御装置とを有して構成されていることを特徴とする請求項1記載の地上型ＬＥＤ標識灯。
【発明の詳細な説明】
【技術分野】
【０００１】
本発明は、出射光の光色を切り替えることができる地上型ＬＥＤ標識灯に関する。
【背景技術】
【０００２】
地上型航空標識灯である誘導路灯は、航空機の操縦者に空港の誘導路およびエプロンの縁を認識させるものであり、誘導路に沿って一定間隔で設けられ、例えば青色光を全周に亘って出射している（例えば特許文献１参照。）。この従来技術の航空標識灯は、例えば青色光を発光する発光ダイオード（ＬＥＤ）が基板上に並設され、管制塔や調光制御室等からの階調信号により複数の発光ダイオードの青色発光が制御されるというものである。
【０００３】
一方、滑走路灯は、航空機が離着陸する滑走路の縁に設けられ、地上型標識灯または埋込型標識灯が用いられて白色光を出射している（例えば特許文献２参照。）。この従来技術の航空標識灯（発光装置）は、赤、緑または青の光を放射する半導体素子を有し、これらを交互に配置することにより、可変の白色光を放射することが可能というものである。
【０００４】
ところで、緊急時などにおいて、特に小型の航空機に対して、滑走路と平行している誘導路を滑走路に使用することができる。この場合、誘導路灯から出射される青色光を白色光に切り替えることができれば、航空機の操縦者に対して、注意、喚起を促すことができて安全性を高めることができる。
【特許文献１】特開２０００−１７３３０４号公報（第６頁、第１図）
【特許文献２】特表２０００−５１１３３４号公報（第１６頁、第１１図）
【発明の開示】
【発明が解決しようとする課題】
【０００５】
しかしながら、上記光色の切り替えを行うには、灯器を一括交換するか、または設置状態での分解、部品の変更が必要になるために時間を要するので、光色の切り替えを行うことが困難である。
【０００６】
また、特許文献２に示すように、赤、緑または青の色光を放射する半導体素子を有して航空標識灯を構成すれば、航空標識灯から青色光または白色光を出射させることができるが、複数の異なる発光色の半導体素子を有するので、灯器が大型化するとともに、光色の切り替えのための制御システム等を有するので、システム構成が複雑になり、高価になるという問題がある。
【０００７】
本発明は、出射光の切り替えが容易に行える安価な地上型ＬＥＤ標識灯を提供することを目的とする。
【課題を解決するための手段】
【０００８】
請求項１に記載の地上型ＬＥＤ標識灯の発明は、発光ダイオードが実装された基板を有し、当該発光ダイオードが前記基板の表面に平行な方向に光を放射する光源ユニットと；一端側開口に取付け部を有し、この取付け部に発光ダイオードが上方側となるようにして前記光源ユニットを固定している筒状の灯体と；前記光源ユニットを包囲可能に筒状に形成され、かつ内面または外面の少なくとも一方に前記発光ダイオードの放射光の光色を異なる光色に変換する蛍光体が形成された前記灯体の内部に配設されている透光性の筒体と；この筒体を、前記光源ユニットを包囲する位置に、またはその包囲する位置から当初の位置に移動させる移動手段と；前記光源ユニットおよび前記筒体を内包し前記灯体の一端側開口を覆うようにして前記灯体の一端側に着脱可能に取り付けられている透光性の保護カバーと；を具備していることを特徴とする。
【０００９】
本発明および以下の発明において、特に言及しない限り、各構成は以下による。
【００１０】
発光ダイオードは、１個であってもよく、複数個であってもよい。複数個の場合、所定の光色を得るために、発光色の異なる発光ダイオードであってもよい。
【００１１】
「発光ダイオードが基板の表面に平行な方向に光を放射する」とは、幾何学的な平行な方向に光を放射するということではなく、光源ユニット（灯体）の周方向に光を放射することを意味している。
【００１２】
移動手段は、筒体を自動的に移動させるものであってもよく、手動で移動させるものであってもよい。
【００１３】
「当初の位置」とは、筒体が光源ユニットを包囲しなく、かつ保護カバーから出射される発光ダイオードからの放射光が筒体を通過しない位置を意味する。
【００１４】
本発明によれば、筒体が光源ユニットを包囲していないと、発光ダイオードからの放射光は、保護カバーを通過して保護カバーの周方向に出射する。そして、光源ユニットを包囲するように筒体を移動手段により移動させると、発光ダイオードから放射された光は、筒体を通過するようになる。このとき、放射光の光色は、筒体に形成された蛍光体により異なる光色に波長変換される。保護カバーからは、発光ダイオードから放射された色光と異なる色光が出射される。移動手段による筒体の移動により、出射光の光色の切り替えが容易に行える。
【００１５】
請求項２に記載の地上型ＬＥＤ標識灯の発明は、請求項1記載の地上型ＬＥＤ標識灯の発明において、移動手段は、前記灯体の内部に配設され、前記筒体を移動させる移動装置と、前記灯体の内部に配設され、前記筒体が所定の位置に移動するように前記移動装置を制御する制御装置とを有して構成されていることを特徴とする。
【００１６】
移動装置は、例えばモータ、エアー装置やピストン装置などである。
【００１７】
本発明によれば、制御装置が移動装置を制御することにより、筒体は、光源ユニットを包囲するように、または光源ユニットを包囲しなくなるように移動される。すなわち、筒体は、出射光の光色を切り替える所定の位置に自動的に移動する。
【発明の効果】
【００１８】
請求項１の発明によれば、光源ユニットを包囲可能に筒状に形成され、発光ダイオードの放射光の光色を異なる光色に変換する蛍光体が形成された筒体を移動手段により移動させる簡易な構成であるので、出射光の光色の切り替えが容易に行える地上型ＬＥＤ標識灯を安価に形成することができる。
【００１９】
請求項２の発明によれば、移動手段が筒体を移動させる移動装置および移動装置を制御する制御装置で形成されていることにより、出射光の光色の切り替えが自動で行えるので、地上型ＬＥＤ標識灯の出射光の光色の切り替えを迅速に行うことができる。
【発明を実施するための最良の形態】
【００２０】
以下、本発明の一実施の形態について、図面を参照して説明する。まず、本発明の第１の実施形態について説明する。
【００２１】
図１ないし図４は、本発明の第１の実施形態を示し、図１は地上型ＬＥＤ標識灯の概略側断面図、図２は図１のＡ部分の拡大図、図３は筒体が移動した状態の概略部分側断面図、図４は保護カバーを取り外した状態の概略上面図である。
【００２２】
図１において、地上型ＬＥＤ標識灯１は、地上型航空標識灯であり、光源ユニット２、灯体３、筒体４、移動手段としてのモータ５，５、制御装置６、アンテナ７および保護カバー８を有して構成されている。モータ５，５および制御装置６は、灯体３の内部に配設され、アンテナ７は、灯体３の外面側に設けられている。
【００２３】
地上型ＬＥＤ標識灯１は、灯体３が可折接手９に固定され、光源ユニット２から放射された光を灯体３の全周方向を出射するものである。そして、光源ユニット２と保護カバー８との間に筒体４を介在させることにより、光源ユニット２からの放射光の光色を異なる光色に変換して出射するものである。
【００２４】
図２において、光源ユニット２は、基板１０、発光ダイオード１１およびプリズム１２を有して構成されている。基板１０は、例えばアルミニウム（Ａｌ）などの伝熱性の良好な金属板により円形状に形成されている。そして、灯体３の一端側開口３ｃに配設されている台座１３の凹部１４の平坦状底面に貼着により固定されている。
【００２５】
発光ダイオード１１は、青色光を放射し、レンズ１５を具備する構造に形成されており、１個が基板１０に実装されている。これにより、発光ダイオード１１は、主として基板１０の表面に平行な方向に光を放射する。すなわち、主として基板１０の垂直方向に対して周方向に光を放射する。そして、発光ダイオード１１は、灯体３の内部に配設されている点灯ユニット１６から給電されて点灯する。
【００２６】
プリズム１２は、例えばアクリル樹脂からなり、一対の耳部１２ａ，１２ａ（図４に示す。）を有して外形がドーム状に形成されている。そして、内部に発光ダイオード１１が配設される内部空間１７およびドーム状の外表面１２ｂに孔１８がそれぞれ形成されている。内部空間１７は、発光ダイオード１１を被うことのできる大きさに形成されている。孔１８は、内部空間１７と外表面１２ｂ側の外気を通気するものであり、円柱状に形成され、図４に示すように、外表面１２ｂに三角形の頂点の位置となるようにして３個形成されている。
【００２７】
そして、プリズム１２は、内部空間１７で発光ダイオード１１を被うようにして台座１３に固定されている。すなわち、プリズム１２の一対の耳部１２ａ、１２ａがねじ１９，１９により台座１３に固定されている。そして、プリズム１２が台座１３に固定された状態で、発光ダイオード１１の延長線上にプリズム１２の３個の孔１８の中心が位置するとともに、灯体３の一端側開口３ｃの中心上に位置するものである。また、プリズム１２は、台座１３に固定された状態で、図２に示すように、灯体３の一端側３ａの端面３ａａから灯体３の外方に突出するように設けられている。
【００２８】
プリズム１２は、発光ダイオード１１から放射された光を灯体３の周方向側に屈折して出射するものである。すなわち、プリズム１２は、基板１０の垂直方向に対して周方向に放射する発光ダイオード１１からの光をさらに前記垂直方向から遠ざかる方向に屈折する。そして、プリズム１２は、灯体３の一端側３ａの端面３ａａから灯体３の外方に突出しているので、プリズム１２から出射された光が灯体３の一端側３ａでケラレルことがなく、灯体３の全周方向に出射される。
【００２９】
灯体３は、例えばアルミニウム(Ａｌ)からなり、一端側３ａの内側に、取付け部としての一対の取付け部材２０，２０を形成している。取付け部材２０，２０は、灯体３の内面に沿うとともに当該内面から離間された略弧状柱体に形成され、その一端側２０ａ，２０ａが灯体３の内面に一体化されている。そして、その他端側２０ｂ，２０ｂの端面が取付け面となっており、この取付け面に略円盤状の土台２１がねじ２２，２２により固定されている。
【００３０】
土台２１は、灯体３の内部に収容するようにして例えばアルミニウム(Ａｌ)からなる収容箱２３を鋳造により一体に取り付けているとともに、灯体３の上方側に台座１３をねじ２４，２４により固定している（図４に示す。）。台座１３には、上述したように、発光ダイオード１１が灯体３の上方側となるようにして配設された基板１０および内部空間１７で発光ダイオード１１を被うようにして設けられたプリズム１２がそれぞれ固定されている。
【００３１】
そして、図１に示すように、土台２１に取り付けられた収納箱２３には、カレントトランスＴ１および点灯ユニット１６が収納されている。点灯ユニット１６は、カレントトランスＴ１以外の発光ダイオード１１を点灯する回路部品を有して形成されている。
【００３２】
また、灯体３は、その他端側３ｂにおいて、一部が他端側３ｂの内部に挿入された略円筒状の可折接手９にボルト２４，２４により取り付けられている。灯体３の他端側３ｂの内部に挿入された可折接手９の部分は、収納箱２３の一部を包囲している。可折接手９は、例えばアルミニウム(Ａｌ)からなっている。そして、可折接手９の一端部９ａからは、点灯ユニット１６に接続されているコネクタ２５付きの電源コード２６が導出されている。可折接手９は、図示しない固定部材を介して地面に固定されており、灯体３に自動車や航空機等が接触したときに折れ曲がり、自動車や航空機等の接触部位の破損などを防止するものである。
【００３３】
灯体３は、ボルト２４，２４を緩めることにより、可折接手９の回りに回動させることができ、また、可折接手９から取り外すことができる。そして、ボルト２４，２４を可折接手９に押し付けることにより、灯体３の他端側３ｂが可折接手９に固定される。
【００３４】
そして、電源コード２６を介して交流定電流電源から電流が点灯ユニット１６に供給されることにより、光源ユニット２の発光ダイオード１１が点灯する。発光ダイオード１１から放射された光は、保護カバー８を透過して、灯体３の外方に出射される。
【００３５】
また、灯体３は、その一端側３ａの外面に環状の段部２７が形成されている。段部２７の外周面には、周回方向に亘るネジ部２８が形成されている。
【００３６】
図２において、筒体４は、例えばポリカーボネート（ＰＣ）樹脂からなり、下端側に外方に突出する鍔部２９を有する円筒状に形成されている。その大きさは、一対の取付け部材２０，２０および灯体３の内面との間に介在するとともに、光源ユニット２および一対の取付け部材２０，２０を包囲可能に形成されている。そして、鍔部２９には、互いに反対側となるように一対のねじ孔３０，３０が形成されている。
【００３７】
また、筒体４は、その内面側のほぼ全域に蛍光体としての黄色蛍光体３１が形成（塗布）されている。黄色蛍光体３１は、発光ダイオード１１から放射された青色光を白色光に波長変換するものであり、例えばＹＡＧからなっている。なお、黄色蛍光体３１は、筒体４の外面側に形成されてもよく、内面側および外面側の両方に形成されてもよい。
【００３８】
移動手段を構成する移動装置としてのモータ５，５は、取付け部材２０，２０の一端側２０ａ，２０ａまたは灯体３の内面側に図示しない固定部材やねじなどにより固定されている。その回転軸５ａには、所定長の雄ねじ３２が一体的に取り付けられている。雄ねじ３２は、その先端側が灯体３の一端側３ａの端面３ａａから外方側に突出しないように設けられている。そして、雄ねじ３２は、筒体４が灯体３の一端側３ａの端面３ａａから外方側に突出しないように、筒体４の鍔部２９に形成されたねじ孔３０に螺着している。筒体４は、モータ５，５により、光源ユニット２を包囲しない位置に停留（支持）されている。この光源ユニット２を包囲しない位置を、以下、当初の位置と称する。
【００３９】
筒体４は、モータ５，５の回転軸５ａ，５ａが例えば右回りに回転すると、雄ねじ３２，３２の回転に応じて、ねじ孔３０，３０が雄ねじ３２，３２の先端側に移動していくことにより、灯体３の一端側３ａの端面３ａａから外方側に突出していき、図３に示すように、光源ユニット２を包囲するようになる。この光源ユニット２を包囲する位置で、制御装置６の制御により、モータ５，５の回転軸５ａ，５ａの回転動作が停止される。
【００４０】
そして、筒体４は、モータ５，５の回転軸５ａ，５ａが例えば左回りに回転すると、雄ねじ３２，３２の回転に応じて、ねじ孔３０，３０が雄ねじ３２，３２の根元側に移動していくことにより、灯体３の一端側３ａの内方側に侵入していき、光源ユニット２を包囲しなくなる。そして、当初の位置で、制御装置６の制御により、モータ５，５の回転軸５ａ，５ａの回転動作が停止される。このように、モータ５，５は、その回転軸５ａ，５ａが右回りまたは左回りに回転することにより、筒体４を、光源ユニット２を包囲する位置に、またはその包囲する位置から当初の位置に移動させるものである。
【００４１】
制御装置６は、図１に示すように、灯体３の内面に一体的に設けられた取付け部材３３に固定されている。また、アンテナ７は、灯体３の他端側３ｂに設けられた図示しない貫通孔に防水パッキンとともに挿入されて、灯体３の外面側において接着材により固定されている。制御装置６は、リード線３４によりアンテナ７に接続され、リード線３５，３５によりモータ５，５に接続されている。また、モータ５，５および制御装置６は、点灯ユニット１６から動作電源を供給している。
【００４２】
アンテナ７が外部からの無線信号を受信すると、制御装置６は、無線信号に応じてモータ５，５を制御する。すなわち、無線信号が出射光を青色光から白色光に切り替える信号であると、モータ５，５の回転軸５ａ，５ａを第１の所定期間に亘って例えば右回りに第１の回転速度で回転させる。これにより、筒体４は、光源ユニット２を包囲する所定の位置に移動される。また、無線信号が出射光を白色光から青色光に切り替える信号であると、モータ５，５の回転軸５ａ，５ａを第２の所定期間に亘って例えば左回りに第２の回転速度で回転させる。これにより、筒体４は、当初の所定の位置に移動される。
【００４３】
保護カバー８は、例えばポリカーボネート（ＰＣ）樹脂からなり、図２に示すように、一端側８ａが閉塞された略円筒状に形成されている。そして、他端側８ｂの内周面には、灯体３のネジ部２８に螺合する被ネジ部３６が形成されている。保護カバー８は、その被ネジ部３６が灯体３のネジ部２８に螺合されると、灯体３の一端側３ａに取り付けられて、光源ユニット２を内包し、図３に示すように、光源ユニット２を包囲している筒体４を内包し、灯体３の一端側開口３ｃを覆うものである。
【００４４】
そして、保護カバー８は、その被ネジ部３６の灯体３のネジ部２８への螺合が解除されると、灯体３の一端側３ａから取り外されるものである。このように、保護カバー８は、灯体３の一端側３ａに着脱可能に取り付けられているものである。
【００４５】
また、保護カバー８および灯体３の間には、例えばシリコーン樹脂からなり、環状に形成されたパッキン３７が配設されている。パッキン３７は、灯体３の段部２７に挿入され、保護カバー８の被ネジ部３６を灯体３のネジ部２８に螺合するときに押圧され、ネジ部２８および被ネジ部３６の部分より水分が灯体３の内部に侵入しないようにしている。
【００４６】
次に、本発明の第１の実施形態の作用について述べる。
【００４７】
電源コード２６を介して点灯ユニット１６が給電されると、光源ユニット２の発光ダイオード１１が点灯する。発光ダイオード２は、基板１０の表面に平行な方向に、すなわち基板１０の垂直方向に対して全周方向に青色光を放射する。発光ダイオード１１から放射された青色光は、プリズム１２の内部空間１７の内表面および外表面１２ｂで屈折されてプリズム１２から外方に出射される。このとき、プリズム１２は、基板１０の垂直方向から遠ざかる方向に放射光を屈折する。これにより、発光ダイオード１１から放射された青色光は、さらに基板１０の垂直方向の周方向側に出射されるようになる。
【００４８】
プリズム１２から出射された青色光は、透光性の保護カバー８を通過（透過）して、灯体３の外方側に出射される。地上型ＬＥＤ標識灯１は、地上面に可折接手９を介して取り付けられているので、地上面に対して、主として斜め上方および水平方向に青色光を出射する。これにより、例えば誘導路を走行している航空機などの操縦者は、当該青色光を認識することにより、注意、喚起が促される。
【００４９】
そして、例えば誘導路を滑走路として使用する緊急時に、地上型ＬＥＤ標識灯１から出射されている青色光を白色光に切り替える無線信号を送信する。当該無線信号は、灯体３の外面側に設けられたアンテナ７で受信される。制御装置６は、第１の所定期間に亘ってモータ５，５を制御し、モータ５，５の回転軸５ａ，５ａを例えば右回りに第１の回転速度で回転させる。これにより、回転軸５ａ，５ａに一体的に取り付けられている雄ねじ３２，３２は、例えば右回りに第１の回転速度で回転する。
【００５０】
雄ねじ３２，３２に螺合している筒体４のねじ孔３０，３０は、雄ねじ３２，３２の例えば右回りの回転により、雄ねじ３２，３２の先端側に移動していく。これにより、筒体４は、灯体３の一端側開口３ｃから保護カバー８の内部に移動（侵入）していき、第１の所定期間が経過してモータ５，５の回転動作が停止したときには、図３に示すように、光源ユニット２を包囲する所定の位置に停留する。筒体４は、その所定の位置で雄ねじ３２，３２を介してモータ５，５に支持される。
【００５１】
プリズム１２から出射された発光ダイオード１１からの放射光（青色光）は、筒体４を通過するようになる。このとき、筒体４に入射した青色光は、筒体４に形成された黄色蛍光体によって白色光に波長変換される。筒体４から出射される白色光は、透光性の保護カバー８を通過して、灯体３の外方側に出射される。すなわち、地上型ＬＥＤ標識灯１は、地上面に対して、主として斜め上方および水平方向に白色光を出射する。これにより、例えば誘導路を走行する航空機などの操縦者は、当該白色光を認識することにより、注意、喚起が促されて、離着陸に対する安全性が向上するものである。
【００５２】
そして、例えば誘導路を滑走路として使用する緊急事態が解除され、地上型ＬＥＤ標識灯１から出射されている白色光を青色光に切り替えるときには、白色光を青色光に切り替える無線信号を送信する。当該無線信号をアンテナ７が受信すると、制御装置６は、第２の所定期間に亘ってモータ５，５を制御し、モータ５，５の回転軸５ａ，５ａを例えば左回りに第２の回転速度で回転させる。これにより、雄ねじ３２，３２は、例えば左回りに第２の回転速度で回転する。
【００５３】
雄ねじ３２，３２に螺合している筒体４のねじ孔３０，３０は、雄ねじ３２，３２の例えば左回りの回転により、雄ねじ３２，３２の根元側に移動していく。これにより、筒体４は、灯体３の一端側開口３ｃから灯体３の内部に移動（侵入）していき、光源ユニット２を包囲しなくなり、第２の所定期間が経過してモータ５，５の回転動作が停止したときには、図２に示すように、当初の位置に停留する。筒体４は、光源ユニット２を包囲しないので、地上型ＬＥＤ標識灯１は、発光ダイオード１１から放射された青色光を出射する。
【００５４】
上述したように、地上型ＬＥＤ標識灯１は、略円筒状に形成されて黄色蛍光体３１が形成された筒体４を、光源ユニット２を包囲するように、または光源ユニット２を包囲しなくなるように移動させることにより、青色光および白色光の光色の切り替えが行える簡易な構成であるので、安価に形成することができる。
【００５５】
また、移動手段として、筒体４を移動させるモータ５，５、無線信号を受信するアンテナ７およびモータ５，５を制御する制御装置６を備え、光色を切り替える無線信号を送信するのみで、筒体４が自動的に所定の位置に移動する構成であるので、地上型ＬＥＤ標識灯１の出射光の光色の切り替えを迅速に行うことができる。
【００５６】
なお、地上型ＬＥＤ標識灯１は、空港や飛行場の設置に限らず、道路、公園、広場や建物など、適宜の場所に設置されるものである。また、発光ダイオード１１の放射光は、青色光に限らず、他の色光であってもよく、筒体４に形成される蛍光体は、発光ダイオード１１の放射光の光色を異なる光色に変換するものであればよいものである。また、移動手段は、アンテナ７を設けず、有線からの光色切替信号により制御装置６を制御動作させてもよい。
【００５７】
次に、本発明の第２の実施形態について説明する。
【００５８】
図５は、本発明の第２の実施形態を示す地上型ＬＥＤ標識灯の概略部分側断面図、図６は、同じく筒体が移動した状態の概略部分側断面図である。なお、図１と同一部分には、同一符号を付して説明は省略する。
【００５９】
図５に示す地上型ＬＥＤ標識灯３８は、図１に示す地上型ＬＥＤ標識灯１において、筒体４Ａを手動で移動させる構成としたものである。筒体４Ａは、図１に示す筒体４よりも大きく形成され、ほぼ一対の取付け部材２０，２０を覆うことのできる大きさに形成されている。筒体４Ａの鍔部２９には、移動手段としての一対の摘み部３９ａを有する棒状のレバー３９が取り付けられている。そして、灯体３の一端側３ａには、レバー３９，３９の案内路としての逆Ｊ形の孔４０，４０が互いに反対側となるように形成されている。孔４０には、図示しない防水パッキンが配設されており、レバー３９は、防水パッキンに当接しながら移動される。
【００６０】
筒体４Ａが光源ユニット２を包囲していない当初の位置では、レバー３９は、孔４０の下端端面４０ａに支持されている。この状態では、保護カバー８からは、発光ダイオード１１から放射された青色光が出射される。筒体４Ａは、レバー３９，３９の摘み部３９ａ，３９ａを指等で摘み、レバー３９，３９を孔４０，４０に沿って灯体３の一端側３ａに移動させることにより、灯体３の一端側開口３ｃから保護カバー８の内部に移動（侵入）していき、光源ユニット２を包囲するようになる。
【００６１】
そして、レバー３９，３９は、孔４０，４０の上端端面４０ｂ，４０ｂに当接したときに、曲がり部４０ｃ，４０ｃ側に回転させることにより、図６に示すように、上端側支持端面４０ｄ，４０ｄに支持される。これにより、筒体４Ａは、光源ユニット２を包囲した所定の位置に停留する。発光ダイオード１１からの放射光は、筒体４Ａを通過し、黄色蛍光体３１により波長変換されるので、保護カバー８からは、白色光が出射される。
【００６２】
保護カバー８から再び青色光を出射させるときは、レバー３９，３９を孔４０，４０に沿って上記と逆方向に移動させて下端端面４０ａ，４０ａに支持させる。筒体４Ａは、光源ユニット２を包囲しなくなり、発光ダイオード１１からの放射光が直接的に保護カバー８から出射される。
【００６３】
上述したように、レバー３９，３９を孔４０，４０に沿って移動させることにより、筒体４Ａが光源ユニット２を包囲し、または光源ユニット２を包囲しなくすることができる。したがって、地上型ＬＥＤ標識灯３８は、簡易な構成で出射光の光色を容易に切り替えることができて、安価に形成することができる。
【図面の簡単な説明】
【００６４】
【図１】本発明の第１の実施形態を示す地上型ＬＥＤ標識灯の概略側断面図。
【図２】同じく、図１のＡ部分の拡大図。
【図３】同じく、筒体が移動した状態の概略部分側断面図。
【図４】同じく、保護カバーを取り外した状態の概略上面図。
【図５】本発明の第２の実施形態を示す地上型ＬＥＤ標識灯の概略部分側断面図。
【図６】同じく、筒体が移動した状態の概略部分側断面図。
【符号の説明】
【００６５】
１，３８…地上型ＬＥＤ標識灯
２…光源ユニット
３…灯体
４，４Ａ…筒体
５，５…移動手段としてのモータ
６…移動手段としての制御装置
７…移動手段としてのアンテナ
８…保護カバー
３９，３９…移動手段としてのレバー
【図１】
2010146885.tif 000003
【図２】
2010146885.tif 000004
【図３】
2010146885.tif 000005
【図４】
2010146885.tif 000006
【図５】
2010146885.tif 000007
【図６】
2010146885.tif 000008